Podtech/llm-jp-corpus-v4-ja_patent huggingface dataset:
(57)【要約】      （修正有）【課題】耐火シートの補修が容易に、かつ、高いコストをかけることなく行える耐火シートの補修用シートを提供する。【解決手段】耐火基材シート７の両面にシリコーン樹脂層９が付設され、一方のシリコーン樹脂層９上にシリコーン樹脂系粘着剤層１１が付設され、シリコーン樹脂系粘着剤層１１上に離型紙１３が付着される構成とする。【選択図】図２
0003234603.tif 000002
【実用新案登録請求の範囲】
【請求項１】
耐火基材シートの両面にシリコーン樹脂層が付設され、一方の前記シリコーン樹脂層上にシリコーン樹脂系粘着剤層が付設され、前記シリコーン樹脂系粘着剤層上に離型紙が付着されてなることを特徴とする耐火シートの補修用シート。
【請求項２】
両面にシリコーン樹脂層を備える耐火シートの損傷穴を覆うように使用される請求項１記載の耐火シートの補修用シート。
【考案の詳細な説明】
【技術分野】
【０００１】  この考案は、溶接現場などで用いられる耐火シートの補修用シートに関する。
【背景技術】
【０００２】  工場や建築現場では溶接が行われる場合があり、その際火花の飛散を防止するように周囲に耐火シートを設置する。耐火シートとして、例えばガラス繊維または耐炎化繊維の両面にシリコーン樹脂層が付されたものが使用されるが、長期の使用により火花が継続して当たることでその一部が損傷して穴が開いてしまうことがある（図１参照）。その際には耐火シートの全体を取り換えることとなり、取り換えに手間がかかるとともに、コストが高くなる問題があった。
【考案の概要】
【考案が解決しようとする課題】
【０００３】  この考案は上記の事情に鑑みて行ったもので、耐火シートの補修が容易に、かつ、高いコストをかけることなく行えるようにすることを目的とする。
【課題を解決するための手段】
【０００４】  この考案では、耐火基材シートの両面にシリコーン樹脂層が付設され、一方の前記シリコーン樹脂層上にシリコーン樹脂系粘着剤層が付設され、前記シリコーン樹脂系粘着剤層上に離型紙が付着されてなることを特徴とする耐火シートの補修用シートを提供する。【０００５】  上記構成の補修用シートは、離型紙が剥がされてシリコーン樹脂系粘着剤が露呈する状態において耐火シート面に損傷穴を覆うように貼り付けられて用いられる。これにより溶接の火花が補修用シートに遮断されて損傷穴から外方に飛散することが防止される。【０００６】  シリコーン樹脂層上にシリコーン樹脂系粘着剤層が付設されていることで両者は一体に固着され、これにより耐火シートへの補修用シートの貼り付けが強固に安定して行われ、補修用シートは位置づれや剥離等が起こることなく耐火シートの所定位置に安定して付着される。また、補修用シートが表面にシリコーン樹脂層が設けられている耐火シートに使用される場合は、耐火シートのシリコーン樹脂層とシリコーン樹脂系粘着剤と補修用シートのシリコーン樹脂層とが一体に固着され、これにより耐火シートへの補修用シートの貼り付けがより強固に安定して行われる。
【考案の効果】
【０００７】  この考案の補修用シートを用いることで、耐火シートの補修が容易に、かつ、高いコストをかけることなく行える。
【図面の簡単な説明】
【０００８】
【図１】  この考案の補修用シートの使用説明図
【図２】  この考案の補修用シートの断面構成略図
【図３】  この考案の補修用シートの使用時の断面構成略図
【考案の好ましい実施形態】
【０００９】  図１はこの考案の補修用シート１の使用説明図であり、補修用シート１は耐火シート３に形成された損傷穴５を覆うように貼り付けられて用いられている。
【００１０】  補修用シート１は、図２に示すように、ガラス繊維または耐炎化繊維の織物、不織布よりなる耐火基材シート７の両面にディッピンクや塗布によりシリコーン樹脂層９のそれぞれが付設されるとともに、一方のシリコーン樹脂層９上にシリコーン樹脂系粘着剤が塗布形成され、その上面にポリエチレンテレフタレートよりなる離型紙１３が張り付けられて構成されている。
【００１１】  図３において、補修用シート１が貼り付け使用される耐火シート３は、ガラス繊維または耐炎化繊維の織物、不織布よりなる耐火基材シート１７両面にディッピンクや塗布によりシリコーン樹脂層１９のそれぞれが付設されて構成され、５は火花による損傷穴である。補修用シート１は離型紙１３が剥がされてシリコーン樹脂系粘着剤１１が露呈する状態において耐火シート３外面に損傷穴５を覆うように貼り付けられて用いられる。その際、シリコーン樹脂系粘着剤１１が使用されることで、耐火シート５のシリコーン樹脂層１９とシリコーン樹脂系粘着剤１１と補修用シート１のシリコーン樹脂層９とが一体に固着される。これにより耐火シート３への補修シート１の貼り付けが強固に安定して行われ、補修用シート１は位置づれや剥離等の起こることなく耐火シート３の所定位置に安定して付着される。
【００１２】  上記のように離型紙１３が剥がされ補修用シート１が耐火シート１５内面に損傷穴５を覆うように用いられることで、火花Ｈが補修用シート１に遮断されて損傷穴５から外方に飛散することが防止される。このようにして、補修用シート１の使用により手間をかけずに安価に耐火シート３は補修されて使用可能なものとされる。
【符号の説明】
【００１３】１    補修用シート
３    耐火シート
５    損傷穴
７    基材シート
９    シリコーン樹脂層
１１  シリコーン系樹脂粘着剤
１３  離型紙
【図１】
0003234603.tif 000003
【図２】
0003234603.tif 000004
【図３】
0003234603.tif 000005
(57)【要約】      （修正有）【課題】マスク装着時の呼吸を楽にする電動ファン付きマスクカバーを提供する。【解決手段】市販の不織布マスク５の周囲を抑えて覆うことができるように、周囲にクッション４を設けたマスクカバー１に電動ファン２を取り付けて外気を不織布マスクに供給するとともに、マスクカバーの両側部に不織布マスクの装着用ゴムひも６を通す機構を持たせることで不織布マスクのゴムひもによりマスクカバーを固定できる。【選択図】図１
0003234605.tif 000002
【実用新案登録請求の範囲】
【請求項１】
市販の不織布マスクの周囲を抑えて覆うことができるように周囲にクッションを設けたマスクカバーに電動ファンを取り付けて外気を不織布マスクに供給するとともにマスクカバーの両側部に不織布マスクの装着用ゴムひもを通す機構を持たせることで不織布マスクのゴムひもによりマスクカバーを固定できる特徴を有する電動ファン付きマスクカバー
【考案の詳細な説明】
【技術分野】
【０００１】感染予防や飛沫拡散防止にマスクが使われている。特に不織布マスクは通過する空気中の微粒子の捕集効率が高く、感染予防に役立つ。【０００２】本実用新案は、不織布マスクの表面に空気を挿入する作用を有する電動ファン付きカバーを密着させてファンにより外気を強制的に不織布マスクに導入することでマスク装着時の呼吸を楽にするものである。
【背景技術】
【先行技術文献】
【特許文献】
【０００３】
【特許文献１】特開平１１−２５３５６６  防塵マスク  はマスクの周囲の顔面に接する部分に電界を印加してマスク周囲から漏れこむ空気中の微粒子を捕集する機能を有する装置であり、空気のマスク周囲からの漏れ込みがある場合にも、微粒子の捕集効率を高く保つことができ、感染予防に役立つことが示されている。
【非特許文献】
【０００４】
【非特許文献】Ｔｕｎ  Ｌｗｉｎ，成奉祚，高島和則，桂進司，水野彰，“加圧直流コロナ放電によるポリプロピレンフィルタのエレクトレット化に関する研究”，静電気学会誌，２８，ｐｐ．４１−４６（２００４）にはエレクトレット不織布フィルタの微粒子捕集性能、特に高効率のフィルタを作成するための大気圧放電による電荷注入方法に関して述べられており、微粒子除去機能を持つマスクにはエレクトレットフィルタが極めて有用であることが述べられている。
【考案の概要】
【考案が解決しようとする課題】
【０００５】新型コロナウイルス感染症の広がりとともにマスクが広く使用され、感染予防に役立っているが、微粒子の捕集効率の高いエレクトレットフィルタを用いる不織布マスクは空気が通過する際の圧力損失があり、周囲からの漏れ込みにより外気がマスクを通過せずに吸入される割合も高く、感染予防効果を低減させている。【０００６】また気温や湿度の高い日には不織布マスクをつけることで息苦しく暑さをより感じる問題も指摘されている。
【課題を解決するための手段】
【０００７】不織布マスク周囲からの漏れ込みを減らすためには不織布マスク前面の圧力を高めることが有効である。また暑さに対するにも空気流をファンによって作ることが有効である。
【考案の効果】
【０００８】不織布マスクの上面を覆うカバーに圧力損失１０ｍｍ水柱程度の静圧を有する電動ファンを装着し外部から空気をカバー内部に供給することでカバー内部の圧力を外気に比べ高くして不織布マスクを通して空気を顔面に供給する。これにより不織布マスク周囲からの漏れ込みを低減できるとともに、ファンによる空気流により、マスク装着時の暑さを低減できる。
【図面の簡単な説明】
【０００９】
【図１】１はマスクカバー、２は電動ファン、３はカバー周囲のフレキシブルな金属ワイヤー、４はカバー周囲の密着用クッション、５は不織布マスク、６は不織布マスク装着用ゴムひも、である。１は空気取り入れようの穴が開いており、２のブロアファンを取り付けてある。空気流はカバーの空気取り入れ口から入り、電動ファンにより、カバー内部に供給される。４のカバー周囲の密着用クッションは厚み５〜１５ｍｍであり、これにより５の不織布マスクは顔面に押さえつけられる。ここで３の金属線を屈曲させることで、密着用クッションを顔面に押えつける際に隙間ができるだけ小さくなるように調整できる。また、両側面の金属線はマスクカバーとの間に５〜１５ｍｍの隙間ができるように離して設け、ここに６の不織布マスク装着用ゴムひもを通すことで、不織布マスクとファン付きマスクカバーとを一体化して装着できる。なお、ブロアファン駆動用の電池はマスクカバーの外部に置き電線で供給するか、あるいはマスクカバー内部に装着する。
【考案を実施するための形態】
【００１０】厚さ０．１ｍｍから１ｍｍの間の任意の厚みの板、あるいは空気を通しにくい布を１のマスクカバーとし、５の不織布マスクの周囲を４の密着用クッションで顔面に押さえつけられるようにする。１のマスクカバーに空気取り入れ口を設けて２の電動ファンを取り付ける。また３の金属線をマスクカバー周囲に配置して、マスクカバーを変形させることで顔面への密着性を調整できるようにする。またマスクカバー両側面には５〜１５ｍｍの間隔を隔てて金属線を配置し、１のマスクカバーと３の金属線との間に６の不織布マスク装着用ゴムひもを通せるようにする。
【実施例】
【００１１】１のマスクカバー側面と３の金属線との間に隙間を設けることで６の不織布マスク装着用ゴムひもを隙間に通して顔に装着することができる。これにより不織布マスクの上からファン付きマスクカバーを押し付けるように取り付けることができる。５Ｖ０．３Ａ（１．５Ｗ）定格風量約１００Ｌ／分、最大静圧１０ｍｍ  Ｈ２Ｏの電動ファンを用いたマスクカバーを、市販の一般的な不織布マスクと組み合わせたとき、室内空気中の微粒子数（０．３Ｌ中の０．５μｍ径の微粒子のカウント数、カノマックス製パーティクルカウンターで計測）が５００００カウントの時、ファン付きマスクカバーと不織布マスクの組み合わせを通した後のカウント数は１０００となり、９８％の除去効率であった。ファンを使わない場合にはカウント数が約３００００カウントとなり、外気の漏れ込みがあることを示した。
【産業上の利用可能性】
【００１２】不織布マスクは新型コロナウイルス感染症の感染防止に役立つとされている。市販の一般的な不織布マスクを上から覆うマスクカバーに電動ファンを設けて強制的に外気を不織布マスクに送ることで、不織布マスク周囲からの漏れ込みを低減して、微粒子除去効果を補強できる。また暑い時期にもファンによる空気流により暑さを緩和できることが期待できる。
【符号の説明】
【００１３】１  マスクカバー、  ２  電動ファン  ３  金属線  ４  密着用クッション  ５  不織布マスク  ６  不織布マスク装着用ゴムひも  ７  空気取入れ口
【図１】
0003234605.tif 000003
(57)【要約】      （修正有）【課題】装着時における息苦しさ・熱のこもりによる不快感及び高温時にマスクを装着することによる熱中症のリスクを軽減する、鼻呼吸が可能なマスクを提供する。【解決手段】マスクは、装着者の顔面の鼻から顎にかけて覆うように装着し、上部布と下部布の２枚の重なり合った中央部分に空間ができるように組み合わせて構成され、口部分は覆われているが、鼻呼吸が可能な伸縮性のある布地で形成される。横幅の異なる上下２枚の布で構成する事で、口から顎部分は下部布で覆われるため他者への飛沫の飛散を防止しつつ、上部布で鼻の下に空間を作ることで外気を取り込み鼻呼吸を可能にする。布の素材を冷却素材で製作することで、高温の環境下での装着はさらに快適になる。【選択図】図４
0003230807.tif 000002
【実用新案登録請求の範囲】
【請求項１】
装着者の顔面の鼻から顎にかけて覆うように装着し、上部布と下部布の２枚の重なり合った中央部分に空間ができるように組み合わせて構成され、口部分は覆われているが、鼻呼吸が可能な伸縮性のある布地で形成されたマスク。
【請求項２】
上部布は長方形の布を使用し上辺の中央部分が山型に高くなるように裁断した後横半分に折った状態で山型の上部分のみを縫い合わせ鼻の上部分に触れる部分を形成した請求項１に記載のマスク。
【請求項３】
下部布は上部布より横幅が短い長方形の布で形成された請求項１に記載のマスク。
【請求項４】
上部布、下部布で使用する布のタテの長さは等しい請求項１に記載のマスク。
【請求項５】
上部布の底辺部分を下部布のタテ半分に折った線上に重ね合わせ左側、右側それぞれの２枚の布の端をそろえて上部布の底辺部分と下部布が重なる左右２か所を縫い合わせて形成する請求項１に記載のマスク。
【請求項６】
請求項５において中央部分は縫い合わせない請求項１に記載のマスク。
【請求項７】
使用する布、糸については伸縮性のあるものを使用しする。布地は横に伸びるように裁断、形成するのが望ましく、高温環境下で装着する場合は冷却素材を使用することでさらに快適に装着できる請求項１に記載のマスク。
【請求項８】
大きさ、素材については多様な実施形態が可能であり、請求項７の限りではない。多種多様な素材でのそれらについて本考案マスクの技術的範囲に含まれる。
【考案の詳細な説明】
【技術分野】
【０００１】  本考案は、装着者の口からの飛沫の飛散を防止しつつ、鼻呼吸可能なマスクに関するものである。
【背景技術】
【０００２】  一般的に使用されているマスクは口、鼻全体を覆うため、せき・くしゃみ・会話などによる飛沫の飛散防止に一定の効果がある一方で、呼吸がしにくい、熱がこもりやすい、という難点がある。
特に高温の環境下での口と鼻全体を覆うマスクの装着は息苦しいだけでなく熱中症にかかるリスクも高くなる。
【考案の概要】
【考案が解決しようとする課題】
【０００３】  コロナ禍において、マスクを装着することが日常の生活様式となり、呼吸がしづらく熱がこもりやすい一般的なマスクを装着することは、屋外での活動や運動において、特に気温が高い環境下では不快感だけでなく熱中症のリスクも高くなる。鼻から外気を取り込んで呼吸が可能になるマスクを装着することで息苦しさを軽減し、気温の高い時期や高温下で作業する人が熱中症にかかるリスクも軽減する効果が期待できる。
【課題を解決するための手段】
【０００４】  本考案は横幅の異なる２枚の布を２枚上下重ねて構成し、重なり合った中央部分を縫い合わせないことで空間をつくり  鼻呼吸を可能にする。気温の高い時期や高温下で作業する環境においては、布を冷却素材にすることでさらに快適になる。
【考案の効果】
【０００５】鼻呼吸が可能になることで  マスク装着時の息苦しさを軽減でき、高温下での熱中症のリスクの軽減も期待できる。しかも本考案のマスク装着時は口呼吸の時間が減り、口腔内の乾燥を防ぐことが可能となる。
口の部分は布で覆われている為、会話や咳・くしゃみなどで飛沫が飛散するのを防ぐ効果が期待できる。
【図面の簡単な説明】
【０００６】
【図１】本考案の鼻呼吸可能なマスクの正面図である。
【図２】本考案の鼻呼吸可能なマスクの裏面図である。
【図３】本考案の鼻呼吸可能なマスクの縦半分に折った側面図である。
【図４】本考案の鼻呼吸可能なマスクの装着状態を示す図である。
【図５】本考案の鼻呼吸可能なマスクの設計図である。
【符号の説明】
【０００７】１  下部布と重ねて縫う始めの箇所
２  下部布と重ねて縫う終わりの箇所
３  下部布と重ねて縫う終わりの箇所
４  下部布と重ねて縫う始めの箇所
５  上部布を上に重ねて縫う始めの箇所
６  上部布を上に重ねて縫う終わりの箇所
７  上部布を上に重ねて縫う終わりの箇所
８  上部布を上に重ねて縫う始まりの箇所
【図１】
0003230807.tif 000003
【図２】
0003230807.tif 000004
【図３】
0003230807.tif 000005
【図４】
0003230807.tif 000006
【図５】
0003230807.tif 000007
【手続補正書】
【提出日】令和2年11月12日(2020.11.12)
【手続補正１】
【補正対象書類名】実用新案登録請求の範囲
【補正対象項目名】全文
【補正方法】変更
【補正の内容】
【実用新案登録請求の範囲】
【請求項１】
装着者の顔面の鼻から顎にかけて覆うように装着し、上部布と下部布の２枚の重なり合った中央部分に空間ができるように組み合わせて構成され、口部分は覆われているが、鼻呼吸が可能な伸縮性のある布地で形成されたマスク。
【請求項２】
上部布は長方形の布を使用し上辺の中央部分が山型に高くなるように裁断した後横半分に折った状態で山型の上部分のみを縫い合わせ鼻の上部分に触れる部分を形成した請求項１に記載のマスク。
【請求項３】
下部布は上部布より横幅が短い長方形の布で形成された請求項１に記載のマスク。
【請求項４】
上部布、下部布で使用する布のタテの長さは等しい請求項１に記載のマスク。
【請求項５】
上部布の底辺部分を下部布のタテ半分に折った線上に重ね合わせ左側、右側それぞれの２枚の布の端をそろえて上部布の底辺部分と下部布が重なる左右２か所を縫い合わせて形成する請求項１に記載のマスク。
【請求項６】
請求項５において中央部分は縫い合わせない請求項１に記載のマスク。
【請求項７】
使用する布、糸については伸縮性のあるものを使用する。布地は横に伸びるように裁断、形成するのが望ましく、高温環境下で装着する場合は冷却素材を使用することでさらに快適に装着できる請求項１に記載のマスク。
(57)【要約】      （修正有）【課題】中に工具を収納し、使用時に必要な工具を即、安全に取り出す事が出来、個々の工具類を直立に収納する事が可能な工具袋を提供する。【解決手段】工具袋１は、工具袋１の中に、工具類５を個々に立てて収納する為の、個々の収納容器２ａを複数個連結して構成された連結収納容器２を入れ、その個々の収納容器２ａの内底部に磁石３を取付する。工具袋１の内側の対向する位置に少なくとも２本の支持棒４を取付、支持棒４と接触する連結収納容器２の側面に磁石３ａを取り付けする。工具袋１及び個々の収納容器２ａは円筒形状である。【選択図】図４
0003230817.tif 000002
【実用新案登録請求の範囲】
【請求項１】
工具袋（１）の中に、工具類（５）を個々に立てて収納する為の、個々の収納容器（２a）を複数個連結して構成された連結収納容器（２）を入れ、その個々の収納容器（２a）の内底部に磁石（３）を取付る事を特徴とする工具袋。
【請求項２】
工具袋（１）の内側の対向する位置に少なくとも２本の支持棒（４）を取付、支持棒（４）と接触する連結収納容器（２）の側面に磁石（３a）を取り付ける事を特徴とする請求項1に記載の工具袋。
【請求項３】
工具袋（１）及び個々の収納容器（２a）は円筒形状である請求項1又は請求項２に記載の工具袋。
【考案の詳細な説明】
【技術分野】
【０００１】
本考案は、使用する工具が即、目に入り、使用目的の工具が即取り出す事が出来て、工具類が整理して収納が出来る工具袋に関するものである。      
【背景技術】
【０００２】
従来の工具袋は、個々の工具類を工具袋の中で乱雑に折り重なって収納されて、手に取る時は目的の工具を工具袋の中をまさぐり探しまわる事しか出来なかった。これを解決するために従来は特許文献１のような工具袋が知られていた。
【先行技術文献】
【特許文献】
【０００３】
【特許文献１】特開２０１３−１１９１３９号公報
【考案の概要】
【考案が解決しようとする課題】
【０００４】
特許文献１の工具袋は、工具類を仕分ける事が出来るが、個々の工具類を工具袋の中で折り重なって収納されて、手に取る時は目的の工具をまさぐり取り出す事でしか出来なかった。又工具袋が横転した時は、工具袋の中の工具類が外に散乱した。この様な問題を解決するために、本考案の工具袋は工具類が個々に直立に収納されている為、目的の工具が即、目に止まり、即取り出す事が出来て、工具袋が横転しても工具類が収納容器の底部に磁石を取付ているので散乱せず、工具袋の内側左右の支持棒は工具袋が構成されている帆布の皺垂れ下がりを除く為に工具袋を硬直させる。又連結収納容器と支持棒の接触部の連結収納容器側に磁石を取付ている為に、連結収納容器が工具袋内での移動防止と成り、連結収納容器の不要時は取外しが出来る。この様に工具袋内の工具類が取り易く、整理整頓が出来て、非作業能率性も解決する工具袋である。
【課題を解決するための手段】
【０００５】
上記課題を解決するために、本考案の工具袋は、工具袋（１）の中に、工具類（５）を個々に立てて収納する為の、個々の収納容器（２a）を複数個連結して構成された連結収納容器（２）を入れ、その個々の収納容器（２a）の内底部に磁石（３）を取付することを特徴とする。
又工具袋（１）の内側の対向する位置に少なくとも２本の支持棒（４）を取付、支持棒（４）と接触する連結収納容器（２）の側面に磁石（３a）を取り付けてもよい。
又工具袋（１）及び個々の収納容器（２a）は円筒形状でもよい。
【考案の効果】
【０００６】
本考案の工具袋（１）は、工具袋（1）から工具類（５）を取り出す時に、スムーズに安全に使用目的の工具が取り出せるもので、使用目的の工具類（５）が直立して工具袋（1）に収納されている為に、即座に目に入り、手に取る事が出来て、作業能率も上がり、安全作業にも繋がる。
【図面の簡単な説明】
【０００７】
【図１】本考案の工具袋の正面を示す図である。
【図２】本考案の連結収納容器を示す図である。
【図３】本考案の連結収納容器を工具袋に入れた状態を示す斜視図である。
【図４】本考案の連結収納容器を工具袋に入れて工具類を収納した様子を示す断面図である。
【考案を実施するための形態】
【０００８】
本考案の実施の形態を図１〜図４を参照して説明する。工具類（５）を個々に直立して収納する為に、個々の収納容器(２a)を連結して構成された連結収納容器（２）を本考案の工具袋（１）の中に取付て、個々の収納容器(２a)の内底部には、磁石（３）を取付て、工具袋（１）が横転しても、その収納している工具類（５）が、磁石（３）に依って工具袋（１）から外に散乱しない。
【０００９】
本考案は、工具袋（１）の中に、個々の収納容器(２a)を連結して構成された、連結収納容器（２）を取付て、その個々の収納容器（２a）の内底部には、磁石（３）を取付て居る為、連結収納容器（２）の個々の収納容器に工具類（５）が収納され、工具の先に磁石（３）が当たり、工具袋（１）が横転しても磁石（３）に接着して、その収納している工具類（５）が工具袋（１）から外に散乱しない。
【００１０】
工具袋（１）を構成している帆布を、硬直した工具袋（１）の形を保つ為に、帆布の皺垂下がりを除く支持棒（４）を工具袋（１）の内側の対向する位置に少なくても二本を取付て、硬直した工具袋（１）の形を保つ、その支持棒（４）と工具袋（１）の中に入れた連結収納容器（２）の接触部の側面に磁石（３a）を取付ける、これにより連結収納容器（２）は工具袋（１）の中で移動せず、工具袋（１）からの連結収納容器（２）の脱着が可能である。
【００１１】
工具袋（１）の中に入れた、連結収納容器（２）に工具類（５）を個々に収納する事で各々の工具類（５）が直立に単体で収納され、使用目的の工具類（５）に目線が即届き、即手に取る事が出来る。工具袋（１）の中を工具類（５）をまさぐり探し工具で指を突いたり、切ったり、しなくて安全に、スムーズに、工具を取り出す事が出来る。
【００１２】
本考案の工具袋（１）は円筒形状であり、個々の収納容器（２a）を連結して構成された連結収納容器（２）の端から端までの幅長は工具袋（１）の内径より短かく、円筒形状である個々の収納容器（２a）の太さにより連結する個々の収納容器（２a）の数も異なって連結収納容器（２）が構成されて工具袋（１）に入られる。個々の収納容器（２a）は円筒形状で有って、角状形では工具類（５）を収納する時に工具類（５）と角が当たり収納しずらく、円筒形状により工具類（５）が個々の収納容器（２a）にスムーズに収納が出来る。
【符号の説明】
【００１３】
１    工具袋
２    連結収納容器
２a    収納容器
３    磁石
３a   磁石
４    支持棒
５    工具類
【図１】
0003230817.tif 000003
【図２】
0003230817.tif 000004
【図３】
0003230817.tif 000005
【図４】
0003230817.tif 000006
(57)【要約】      （修正有）【課題】ベビーカーやシルバーカーなどの手押し車のハンドルの湾曲したグリップ部に容易に着脱可能なグリップ用カバーであって、グリップ部の汚れや劣化を防止すると共に、容易にカバーを清潔に保つ。【解決手段】グリップ用カバーは、３片の生地を縫い合わせ、線ファスナー３２を備えることで、革や人工皮革、合成皮革などの伸縮性のない生地であっても湾曲したグリップ部にフィットする構造とすることができる。グリップ部の汚れや劣化防止を実現し、さらにこれまでの布素材では難しかった乾拭きや水拭き、アルコール消毒を行うことができるようになるため、カバーそのものを清潔に保つことができる。【選択図】図３
0003230832.tif 000002
【実用新案登録請求の範囲】
【請求項１】
３片の布と線ファスナーから構成されることにより、手押し車の湾曲したハンドルグリップ部に装着可能な、手押し車のハンドルのグリップ用カバー。
【請求項２】
請求項１に記載のベビーカーのハンドル用のカバーは、革や人工皮革、合成皮革に代表される伸縮性の低い素材であっても形成可能であることを特徴とする手押し車のハンドルのグリップ用カバー。
【請求項３】
請求項２に記載のベビーカーのグリップカバーは、素材に合わせて容易に乾拭きや水拭き、アルコール消毒等の清浄作業を行うことができることを特徴とする手押し車のハンドルのグリップカバー。
【考案の詳細な説明】
【技術分野】
【０００１】  本考案は、ベビーカーやシルバーカー等、コの字型またはＵ字型形状のハンドルを有する手押し車のハンドルの部分を覆うためのカバーに関するものである。
【背景技術】
【０００２】  ベビーカーやシルバーカー等の手押し車には車体を動かすためのハンドルがある。このうち、コの字型またはＵ字型形状になっているハンドルは、握りやすさ向上のため、グリップ部分にクッション素材が巻かれていることが多いものの、長期間使用しているとクッション素材が汚れたり、劣化したりしてくる。また、グリップ部分は持ちやすさのために湾曲していることが多い。
【考案の概要】
【考案が解決しようとする課題】
【０００３】  ハンドルのグリップ部分を汚れや劣化から守るためのカバーを提案する。これまで布素材のハンドルカバーは様々なものがあったが、布は清潔さを保つために洗濯をする必要があり、毎日の清潔維持に手間がかかる。洗い替え用のカバーも準備しなければならない。
【課題を解決するための手段】
【０００４】  ３片の生地と線ファスナーから構成されるグリップ用カバーを考案する。このグリップ用カバーはグリップ部分に巻き付けて使用される。本考案は３片の生地を組み合わせることにより、革や合成皮革、人工皮革等の伸縮性のない素材でも湾曲したグリップ部分にフィットするカバーにすることが可能であり、上述の素材を用いることで素材に合わせて乾拭きや水拭き、アルコール消毒を行うことができ、容易に清潔を保つことができる。
【考案の効果】
【０００５】  考案したグリップ用カバーを装着することによって、ハンドルグリップ部の汚れや劣化を防ぐことができる。また、乾拭きや水拭き、アルコール消毒を行うことができるため、容易に清潔を保つことができる。
【図面の簡単な説明】
【０００６】
【図１】本考案の実施形態に係るベビーカーのハンドルおよびグリップ部分を示した図である。
【図２】本考案の実施形態に係るグリップカバーを構成する３片の布の形状である。
【図３】本考案の実施形態に係るグリップカバーの側面図である。
【図４】本考案の実施形態に係るグリップカバーを視点Ａから見た図である。
【考案を実施するための形態】
【０００７】  以下、本考案の実施形態について図面を参照しながら説明する。
【０００８】  図１は、本実施形態に係るグリップカバーを装着するベビーカーのハンドルおよびグリップ部１０を示した図である。グリップカバーは、グリップ部１０に装着して使用する。
【０００９】  図２は、本実施形態に係るグリップカバーを構成する３片の布の形状を示している。２１と２３は左右対称のアーチ型形状をしており、２２は長方形である。辺２１ｂ、辺２２ａ、辺２２ｂ、辺２３ａは同じ長さとする。
【００１０】  辺２１ｂと辺２２ａ、辺２２ｂと辺２３ａを縫い合わせることにより、湾曲した筒状を構成する。辺２１ａと辺２３ｂには線ファスナーを縫い合わせる。
【００１１】  ２１，２２，２３の寸法やアーチの角度については、装着するベビーカーのグリップ部の湾曲度合いや長さ、太さによって任意の寸法に変更すればよい。
【００１２】  この３片の布の形状および線ファスナーを使用することにより、伸縮性がない素材でも湾曲した筒状を形成し、湾曲したグリップ部に装着することが可能となるため、革や人工皮革、合成皮革を使用したグリップカバーを作ることができる。
【００１３】  図３は、グリップカバーの側面図である。グリップカバーは、筒状に縫い合わせてグリップ部に巻き付けるグリップ部３１と、着脱の際に使用する線ファスナー３２を有している。線ファスナー３２を開いた状態で手押し車のグリップをグリップ部３１で覆い、その後線ファスナー３２を閉めることでグリップ部に固定される。またグリップカバーを外す際には、線ファスナーを開くことで容易に外すことができる。
【００１４】  図４は図３の視点Ａからグリップカバーを見た図である。図示するように、３片の布と線ファスナーを縫い合わせ、筒状になっていることが分かる。線ファスナーを外した状態にすると、筒状が一時的に開き、手押し車のグリップ部に装着可能となる。
【図１】
0003230832.tif 000003
【図２】
0003230832.tif 000004
【図３】
0003230832.tif 000005
【図４】
0003230832.tif 000006
(57)【要約】      （修正有）【課題】睡眠者が仰向けに寝たときも、横向きに寝たときも、気道を確保し、睡眠時無呼吸症候群の一因である、いびきを防止できるいびき防止具を提供する。【解決手段】胴衣４とエアーバッグ３を一体化させて、人体１の動きに常に追従するようにした、いびき防止具であって、装着することで、仰向けに寝たとき、上体がエアーバッグの高さ分だけ高くなり、相対的に頭部２が下がり、気道が確保される、さらにエアーバッグが背中の中央部にあることから、仰向けの睡眠姿勢は安定が失われ、睡眠姿勢が横向きになりやすく、気道は確保されやすくなり、いびきを防止できる。【選択図】図１
0003230844.tif 000002
【実用新案登録請求の範囲】
【請求項１】
胴衣とエアーバッグを一体化させた、いびき防止具であって、エアーバッグが胴衣の背中の中央部に来るように配置されることを特徴とする、いびき防止具。
【請求項２】
前記胴衣の胸部合わせ目には面ファスナーを有し、エアーバッグには緩やかな勾配が付いており、背面にはスリットが入ることを特徴とする、いびき防止具。
【考案の詳細な説明】
【技術分野】
【０００１】  本考案は就寝中の気道を確保する、いびき防止具に関するものである。
【背景技術】
【０００２】  これまで就寝中のいびきを防止するためには、枕の改造、寝具の改造などが提案されており、その例として特開平１１−２４４３１７号の発明（いびき抑制具）や特開２０１６−０９７２０１号の発明（いびき防止具）等が提案されているが、いずれも横向きに寝て気道を確保し、いびきを防止するものであって、仰向けに寝たときも、いびきを防止する必要がある。
【先行技術文献】
【特許文献】
【０００３】
【特許文献１】特開平１１−２４４３１７号  公報
【特許文献２】特開２０１６−０９７２０１号  公報
【考案の概要】
【考案が解決しようとする課題】
【０００４】  前述の発明実施例では、就寝中の姿勢を横向きにして気道を確保し、いびき防止を図るものであるが、仰向けに寝たときも、横向きに寝たときでも、気道を確保する。
【課題を解決するための手段】
【０００５】  本考案は、胴衣とエアーバッグを一体化させた、いびき防止具であって、仰向けに寝たとき、エアーバッグで上体を高くし、その高さ分だけ頭部が下がり、気道が確保されることを特徴とする。
【考案の効果】
【０００６】  本考案のいびき防止具は、仰向けに寝たとき頭部が僅かに下がり、気道が確保されて、しかも背中部分にエアーバッグがある為に常に不安定な状態で寝ており、睡眠姿勢は横向きに誘導されやすく、横向きになれば気道の確保を得やすくなる。
【図面の簡単な説明】
【０００７】
【図１】本考案のいびき防止具使用形態側面図
【図２】本考案のいびき防止具使用形態平面図
【図３】本考案のいびき防止具使用形態正面図
【図４】本考案のいびき防止具側面図
【図５】本考案のいびき防止具横断面図
【考案を実施するための形態】
【０００８】  胴衣４とエアーバッグ３を一体化させた、いびき防止具９を装着し、ベッド７に仰向けに寝たとき、エアーバッグ３の高さ分だけ上体が高くなり、相対的に頭部２が下がり、気道を確保する、と同時に、睡眠姿勢が横向きになりやすくなる、また、エアーバッグ３のスリット８により上体の前屈がしやすく、空気を抜けば折り畳んで携帯出来る。
【実施例】
【０００９】  以下、添付図面に沿って実施例を説明する、胴衣４とエアーバッグ３を一体化させた、いびき防止具９の胸部合わせ目を面ファスナー５によって身体１に密着するように装着する。【００１０】  いびき防止具９を装着して、ベッド７の上に仰向けに寝て、エアーバッグ３の分だけ上体を高くすると、頭部２は相対的にその分下がり、気道が確保される。【００１１】  エアーバッグ３は人によって好みの高さに調整できるように、エアーバルブ６によって空気量を調整する。【００１２】  エアーバッグ３によって寝姿を不安定にする。
【符号の説明】
【００１３】１  人体
２  頭部
３  エアーバッグ
４  胴衣
５  面ファスナー
６  エアーバルブ
７  ベッド
８  スリット
９  いびき防止具
【図１】
0003230844.tif 000003
【図２】
0003230844.tif 000004
【図３】
0003230844.tif 000005
【図４】
0003230844.tif 000006
【図５】
0003230844.tif 000007
【手続補正書】
【提出日】令和2年11月25日(2020.11.25)
【手続補正１】
【補正対象書類名】実用新案登録請求の範囲
【補正対象項目名】全文
【補正方法】変更
【補正の内容】
【実用新案登録請求の範囲】
【請求項１】
胴衣とエアーバッグを一体化させた、いびき防止具であって、エアーバッグが胴衣の背中の中央部に来るように配置されることを特徴とする、いびき防止具。
【請求項２】
背面にはスリットが入ることを特徴とする、請求項１記載のいびき防止具。
(57)【要約】      （修正有）【課題】既存の器にセットして飾れ、保護カバーに収まるものであれば供え物を綺麗な状態で長期間保つことができる霊前カセット供え物飾り器を提供する。【解決手段】霊前に飾りつけるための霊前カセット供え物飾り器であって、スポンジ材の様なクッション性の素材で成る供物設置床５と、設置された供物６を上から被せて保護する保護カバー１とで構成される。供物設置床５に台盤２を設け、台盤２に保護カバー固定部４、供物設置口３を設け、供物設置口３に供物６を取り付け、保護カバー固定部４に保護カバー１を固定する。【選択図】図１
0003230899.tif 000002
【実用新案登録請求の範囲】
【請求項１】
スポンジ材の様なクッション性の素材で成る供物設置床と、設置された供物を上から被さる形で保護するための保護カバーとで構成されるのであるが，
供物設置床は、円柱状に形成され、立て置きした状態において、上面に供物設置床の太さ径より一回り大きな径で成る円盤状の台盤が固定され、
台盤中央に丸くくり抜かれて、供物設置床上面が見える形で、供物設置口が設けてあり、
この供物設置口には、上から供物設置床に突き刺す形で供物が飾りつけてあり、
その供物全体を囲うように上から被さって、供物設置口を中心にして、台盤の外周縁からわずかに内側を通る線上を保護カバー固定部として、そこに下端を固定された縦長ドーム状のカバー体、即ち保護カバーが設けてあることを特徴とする霊前カセット供え物飾り器。
【考案の詳細な説明】
【技術分野】
【０００１】  本考案は、霊前用の供え物器に関するものである。
【背景技術】
【０００２】  従来、霊前の花は、剣山、サハラ、オアシスなどを器に合わせて使用し、墓に供える花は、霊前用に選択した生花を墓石の前部左右に設けられた花立てに挿入して飾られている。
【先行技術文献】
【特許文献】
【０００３】
【特許文献１】特開２０１２−３０８２８号公報
【考案の概要】
【考案が解決しようとする課題】
【０００４】  従来、飾り花は、器付で販売されており、既存の器に挿入できなかった。
また、墓前に供えた生花は気温の変化や風雨に晒されやすく価値が短時間で失われ、器に虫がわいたりもして管理が大変だった。又、遠く離れていて滅多に墓参りができなかったり、体が不自由な人は墓に花を絶やさないでおくことが難しかった。
本考案は、以上のような欠点をなくすためになされたものである。
【課題を解決するための手段】
【０００５】  霊前に飾りつけする飾り器であって、スポンジ材の様なクッション性の素材で成る供物設置床と、設置された供物を上から被さる形で保護するための保護カバーとで構成される。
供物設置床は、円柱状に形成され、立て置きした状態において、上面に供物設置床の太さ径より一回り大きな径で成る円盤状の台盤が固定され、
台盤中央に丸くくり抜かれて、供物設置床上面が見える形で、供物設置口が設けてあり、
この供物設置口には、上から供物設置床に突き刺す形で供物が飾り付けてあり、
その供物全体を囲うように上から被さって、供物設置口を中心にして台盤の外周縁からわずかに内側を通る線上を保護カバー固定部として、そこに下端を固定された縦長ドーム状のカバー体、即ち保護カバーが設けてある。
以上を特徴とする霊前カセット供え物飾り器である。
【考案の効果】
【０００６】  上記のように構成された本考案を利用すると次のような効果がある。
（イ）台座に取り付けた伸縮クッション材により既存の器にセットして飾れる。
（ロ）供え物は、花、果物、おもちゃ、菓子、その他、霊前に供えたいものは何でも保護カバーの中に納まれば入れて飾ることができる。
（ハ）供え物は保護カバー内に収まるものであれば、短期間で劣化することはなく綺麗な状態が続くので、常に墓の周辺に明るい雰囲気が漂う。
（ニ）滅多に墓参りのできない人や、体の不自由な人であっても、本考案を利用することによって、常に新鮮な供物が供えられている状態になるので、墓参りできない自責感を和らげることができる。
【図面の簡単な説明】
【０００７】
【図１】  本考案の斜視図
【考案を実施するための形態】
【０００８】  以下、本考案を実施するための形態について説明する。
供物設置床（５）に台盤（２）が設けられ、
台盤（２）の中央に供物設置口（３）の穴を設けてあり、
供物設置床（５）を台盤（２）に固定してあり、
台盤（２）の穴供物設置口（３）から供物設置床（５）に供物（６）をバランス良く差し入れセットする。
供物（６）をセットした台盤（２）の保護カバー固定部（４）に保護カバー（１）を固定する。
供物（６）を気温の変化や風雨から守れるようにした保護カバー付き供え物器である。
供物（６）は保護カバー（１）内に納まれば、各種の花、果物、菓子やおもちゃ、その他を入れて飾れる。
供物は亡くなられた方の好きな花や、生前の思い出の品、好きな食べ物、小さい子供の場合は遊んでいたおもちゃ等、保護カバーの中に入る品（生ものでは無い物）を飾れる。
本考案は、供物設置床がクッション性材で成り、器の大小に拡縮適応することができる。
また、霊前の生花といつでも交換して使用でき、１年中霊前に飾っておける。
更に水の交換も掃除も必要ないので、当初の綺麗な状態で長期間保たれて墓前を飾る。
【符号の説明】
【０００９】  １  保護カバー
２  台盤
３  供物設置口
４  保護カバー固定部
５  供物設置床
６  供物
【図１】
0003230899.tif 000003
(57)【要約】      （修正有）【課題】空手競技中における競技者の呼吸のしやすさと、空手面に設けられた呼気穴を介した飛沫の拡散を抑止することとを両立することが可能な、空手面用飛沫防止シートを提供する。【解決手段】呼気穴２１〜２３を有する空手面２に対して適用する空手面用飛沫防止シート１ａ〜１ｃであって、呼気穴の開口形状に対応する形状を有する飛沫防止部と、飛沫防止部の周縁部とを有する、多孔質シートと、周縁部の片面上に、周方向にて連続又は非連続で配置された接着層と、を備える。【選択図】図１
0003230895.tif 000002
【実用新案登録請求の範囲】
【請求項１】
呼気穴を有する空手面に対して適用する空手面用飛沫防止シートであって、
前記呼気穴の開口形状に対応する形状を有する飛沫防止部と、該飛沫防止部の周縁部とを有する、多孔質シートと、
前記周縁部の片面上に、周方向にて連続又は非連続で配置された接着層と、
を備える、
空手面用飛沫防止シート。
【考案の詳細な説明】
【技術分野】
【０００１】  本考案は、空手面用飛沫防止シートに関する。
【背景技術】
【０００２】      従来、空手の組手競技において、競技者の顔面を保護する目的の下、図３に示す空手面２を装着した状態で、競技に望むことが競技規則にて定められてきた。図３に示す空手面２の下部に位置する正面呼気穴２１〜２３は、競技者の呼吸を楽にする目的で設けられた穴部である。しかし、かかる正面呼気穴２１〜２３は、競技者の呼吸を促進する一方で、競技者の呼気及び唾液などに由来する飛沫を通過させてしまう。そこで、近年、感染症の感染拡大抑止の観点から、正面呼気穴２１〜２３を介した飛沫の拡散を防止することが必要とされてきた。【０００３】      ここで、組手競技を実施するに際して、予めマスク等により口元を覆って呼気及び唾液の飛沫が拡散することを抑止するための対処をした上で、面を装着することが考えられる。しかし、マスク等の競技者の口元を直接被覆する部材を用いた対処では、競技中における競技者の呼吸が著しく阻害されるおそれがあった。
【考案の概要】
【考案が解決しようとする課題】
【０００４】      そこで、空手競技中における競技者の呼吸のしやすさと、空手面に設けられた呼気穴を介した飛沫の拡散を抑止することとを両立することが可能な、対処手段を開発することが必要とされてきた。
【課題を解決するための手段】
【０００５】      本考案者は、上記の対処方法を開発すべく鋭意検討したところ、空手面２に設けられた正面呼気穴２１〜２３に着脱可能な通気性シートを配置することで、上記の課題を解決可能となることを新たに見いだした。【０００６】      上記課題を解決するための本考案は、面に対して適用する空手面用飛沫防止シートであって、穴部の開口部の開口形状に対応する形状を有する飛沫防止部と、該飛沫防止部の周縁部とを有する、多孔質シートと、周縁部の片面上に、連続又は非連続で配置された接着層と、を備えることを特徴とする。
【考案の効果】
【０００７】      本考案によれば、競技中における競技者の呼吸のしやすさと、空手面に設けられた呼気穴を介した飛沫の拡散を抑止することとを両立することができる。
【図面の簡単な説明】
【０００８】
【図１】本考案にかかる空手面用飛沫防止シートを空手面の正面呼気穴に対して装着した状態を示す概略図である。
【図２】本考案にかかる空手面用飛沫防止シートの概略図である。
【図３】空手面の概略構造を説明する図である。
【０００９】      本考案にかかる空手面用飛沫防止シートは、空手面の正面呼気穴に対して装着されて用いられる。具体的には、図１に示すように、空手面用飛沫防止シート１ａ〜１ｃは、空手面２の正面呼気穴２１〜２３に対して適用されることにより、装着者（すなわち、競技者）の呼気が正面呼気穴２１〜２３を介して拡散することを抑止することができる。図１には、空手面２の内側面（すなわち、装着者の顔面に対向する面）から空手面用飛沫防止シート１ａ〜１ｃを貼付けた場合を例示的に図示する。しかし、必要に応じて、空手面用飛沫防止シート１ａ〜１ｃを空手面の外側面から貼付けることも可能である。【００１０】      図２に、本発明の空手面用飛沫防止シートの概略図を示す。図２に示す空手面用飛沫防止シート１は、図１に示した空手面用飛沫防止シート１ａと同様の形状を有するものとして例示する。もちろん、空手面用飛沫防止シートの形状は、適用する呼気穴の形状に応じて、適宜設定することができる。図２に示す空手面用飛沫防止シート１は、適用対象である空手面の呼気穴の開口形状に対応する形状を有する飛沫防止部１０と、当該飛沫防止部１０の周縁部１１とを有する多孔質シートよりなる。ここで、多孔質シートとしては、少なくとも競技者が呼吸できる程度の通気性を備えると共に、飛沫の大部分を通過させない程度の目開きのシートを好適に用いることができる素材であれば特に限定されることなく、あらゆる素材よりなるシートを採用することができる。具体的には、多孔質シートとしては、不織布シートを採用することができる。不織布シートとしては、例えば、マスクの素材として用いられる不織布シートが挙げられる。さらに、空手面用飛沫防止シート１は、周縁部１１の片面上において、周方向にて連続又は非連続で配置された接着層１２を備えている。なお、接着層１２の構成材料は、空手面用飛沫防止シート１を接着対象物である空手面２に対して接着できる限りにおいて特に限定されることなく、例えば、両面テープなどであり得る。図２では、接着層１２が周縁部１１を連続的に被覆するように配置された状態を図示するが、接着層１２の配置態様は図示の態様に限定されない。例えば、接着層１２が周縁部１１内にて、１カ所又は複数箇所に断続的に配置されていても良い。【００１１】      さらに、周縁部１１の幅及び形状は、略一定幅の帯状、すなわち、空手面用飛沫防止シート１の外形が、適用対象である空手面２の呼気穴の開口形状の相似形状となるような形状であってもよいが、かかる形状に限定されない。しかし、周縁部１１の幅が大きすぎる場合には、競技者の視野を限定するおそれがあるため、周縁部１１の幅は、適用対象である空手面２の呼気穴の開口形状の面積を（ＯＡｒｅａ）、空手面用飛沫防止シート１の全面積を（ＳＡｒｅａ）として、（ＳＡｒｅａ）／（ＯＡｒｅａ）の値が１．０５以上１．３以下の範囲内となるようにすることが好ましい。
【符号の説明】
【００１２】１、１ａ〜１ｃ  空手面用飛沫防止シート
２    空手面
１０  飛沫防止部
１１  周縁部
２１〜２３  正面呼気穴
【図１】
0003230895.tif 000003
【図２】
0003230895.tif 000004
【図３】
0003230895.tif 000005
(57)【要約】【課題】備品等を紫外線により殺菌する紫外線殺菌装置を提供する。【解決手段】開閉可能な蓋３と、蓋の開閉と連動して電源ユニットの電力を光源に供給・遮断するスイッチ２−１と、紫外線を放射する光源５を内蔵して殺菌対象物を収容する筐体２と、商用電源から受電する交流電圧を直流電圧に変換して、紫外線殺菌装置に電力を供給する電源ユニット４と、紫外線を反射拡散して殺菌対象物に一様に紫外線を照射する紫外線拡散手段６と、殺菌工程の進捗状況を発光ダイオードの点灯状況により報知する殺菌工程報知手段７を備える。【選択図】図１
0003230898.tif 000002
【実用新案登録請求の範囲】
【請求項１】
紫外線遮断可能な材料で構成され、開閉可能な蓋を備える筐体と、電源ユニットと、紫外線光を放射する複数の光源と、光源と対向して光源から放射される紫外線を反射拡散する紫外線拡散手段と、殺菌工程段階を報知する報知手段とを備える紫外線殺菌装置
【請求項２】
蓋の開閉と連動して、光源への電源供給を遮断するスイッチをさらに備える請求項１の紫外線殺菌装置。
【請求項３】
さらにタイマーを備えて紫外線照射時間を自在に設定可能な請求項１乃至２の紫外線殺菌装置。
【請求項４】
光源から放射される光の波長は２００ｎｍ〜３００ｎｍであり、好適には２６０ｎｍである請求項１乃至３の紫外線殺菌装置。
【請求項５】
光源は筐体の蓋面及び側面に設けられる請求項１乃至４の紫外線殺菌装置
【考案の詳細な説明】
【技術分野】
【０００１】  本考案は、ウイルスによる接触感染を予防するための備品等を殺菌する殺菌装置に関する。
【背景技術】
【０００２】  コロナウイルスによる感染症が蔓延しており、感染症予防方策の徹底が望まれる。その感染予防方策の一つとしては、複数人が共通に使用する備品等の殺菌が有効である。【０００３】  しかし、コロナウイルスについては、紫外線による殺菌方法についての具体的な指針がなく、どのような光源が有効か、光の波長、照射時間について、個人の判断に依存している現状であり、かならずしも予防方策が徹底していないのが現状である。【０００４】  また、不特定多数が訪れる店舗等においては、筆記具などの備品について効率的に殺菌する手段の開発が望まれている。【０００５】  現状では、店舗等に設置可能な、小型で簡便に使用できる殺菌装置が開発されていない。
【先行技術文献】
【特許文献】
【０００６】
【特許文献１】特開平１１―７６７２７３号公報
【考案の概要】
【考案が解決しようとする課題】
【０００７】  解決しようとする問題点は、店舗等で不特定多数の人が使用する筆記具、書類等を効率的かつ有効に殺菌する小型で安価な殺菌装置を提供する。
【課題を解決するための手段】
【０００８】  本考案は、紫外線を遮断する筐体中に、紫外線を放射する光源を複数設置し、さらに紫外線を散乱させて殺菌対象物に一様に照射する散乱板を備える紫外線殺菌装置を提供する。
【考案の効果】
【００９】  本考案の紫外線殺菌装置は、机、椅子等の家具としても使用可能な筐体中に殺菌装置を内蔵することで、別途殺菌装置を設置することが不要で、紫外線を遮断する筐体中に光源を内蔵することで安全かつ、省スペースを実現可能とする。
【図面の簡単な説明】
【００１０】
【図１】図１は紫外線殺菌装置の外観図である。
【考案を実施するための形態】
【００１１】  紫外線殺菌装置を、家具の中に内蔵し、筆記具等を殺菌可能な紫外線殺菌手段を提供する。
【実施例１】
【００１２】  図１は、紫外線殺菌装置の実施例の外観図である。紫外線殺菌装置１は筐体２と、電源ユニット４と光源５と紫外線拡散手段６と殺菌工程報知手段７から構成される。筐体２は紫外線遮断可能な金属材料により構成され、開閉可能な蓋部３を備える。さらに蓋部の開閉操作と連動して電源の供給をＯＮ／ＯＦＦする、スイッチ２−１を備える。電源ユニット４は商用電力、バッテリにより装置を駆動するための電源であり、スイッチ２―１と連動して電源供給をＯＮ／ＯＦＦする。光源５は紫外線を放射する放電ランプ、ＬＥＤ等の光源で構成される、。紫外線拡散手段６は光源と対向して配置され、光源から放射される紫外線を反射拡散して殺菌対象物に紫外線を一様に照射する。殺菌工程報知手段７は複数色の発光ダイオード、ブザーからなり光、音により殺菌工程の終了を報知する報知手段である。殺菌工程の進捗段階により、発光色を変化させることにより進捗工程を報知しても良い。またタイマーを備えて、殺菌する対象物に応じて照射時間を可変とすることもできる。
【産業上の利用可能性】
【００１３】  本考案の紫外線殺菌装置は、机、椅子等の家具だけでなく、ロッカーや下足箱に設置することにより、着衣や靴等の殺菌に資することも可能である。
【符号の説明】
【００１４】１  紫外線殺菌装置
２  筐体
２−１  スイッチ
３  蓋
４  電源ユニット
５  光源
６  紫外線拡散手段
７  殺菌工程報知手段
８  通電線
【図１】
0003230898.tif 000003